(57)【要約】【課題】従来の記録フォーマットでは、オーディオデータ記録領域のフォーマットに自由度が無いために、様々な形式のオーディオデータや、映像や音声に関するメタデータなどを効率良く記録できないという課題があった。【解決手段】オーディオデータ記録領域の内部にメタデータ記録領域を設け、空きチャンネル領域にもメタデータを記録できるようにした。また、オーディオデータ記録領域の内部に欠陥の交替領域を設けて交替処理のアクセスを改善し、交替領域をオーディオデータとメタデータで共用することで、交替領域を効率良く使えるようにした。また、オーディオデータ記録領域に複数のタイプ、複数の記録パターンを設け、様々なオーディオデータの形式に柔軟に対応できるようにした。また、情報記録媒体の記録単位の整数倍に満たないデータには、メタデータを追加することで、無駄なく記録できるようにした。【選択図】  図１
2004253063.tif 000002
【特許請求の範囲】
【請求項１】
ビデオデータとオーディオデータが独立して記録される情報記録媒体であって、
オーディオデータ記録領域またはビデオデータ記録領域の内部を、複数のチャンネル領域に分割し、
前記複数のチャンネル領域のうち、１つ以上の領域がメタデータの記録に使用されていることを特徴とする情報記録媒体。
【請求項２】
ビデオデータとオーディオデータを独立して記録する記録再生装置であって、
オーディオデータ記録領域またはビデオデータ記録領域の内部を、複数のチャンネル領域に分割し、
前記複数のチャンネル領域のうち、１つ以上の領域にメタデータを記録することを特徴とする記録再生装置。
【請求項３】
ビデオデータとオーディオデータが独立して記録される情報記録媒体であって、
オーディオデータ記録領域に記録するオーディオデータのサイズ、または、
ビデオデータ記録領域に記録するビデオデータのサイズが、
前記情報記録媒体の記録単位の整数倍に満たない場合、
前記オーディオデータまたは前記ビデオデータに、
少なくともメタデータを含むデータを追加して、
前記情報記録媒体の記録単位の整数倍のサイズにして記録されていることを特徴とする情報記録媒体。
【請求項４】
ビデオデータとオーディオデータを独立して記録する記録再生装置であって、
オーディオデータ記録領域に記録するオーディオデータのサイズ、または、
ビデオデータ記録領域に記録するビデオデータのサイズが、
前記情報記録媒体の記録単位の整数倍に満たない場合、
前記オーディオデータまたは前記ビデオデータに、
少なくともメタデータを含むデータを追加して、
前記情報記録媒体の記録単位の整数倍のサイズにして記録することを特徴とする記録再生装置。
【請求項５】
ビデオデータとオーディオデータが独立して記録される情報記録媒体であって、
オーディオデータ記録領域は、サイズ別に複数のタイプを有し、さらに、個々のタイプについて複数の記録パターンを有し、
前記オーディオデータは、前記複数のタイプのいずれかのタイプで、かつ、前記複数の記録パターンのいずれかのパターンで、前記オーディオデータ記録領域に記録されていることを特徴とする情報記録媒体。
【請求項６】
ビデオデータとオーディオデータを独立して記録する記録再生装置であって、
オーディオデータ記録領域は、サイズ別に複数のタイプを有し、さらに、個々のタイプについて複数の記録パターンを有し、
前記オーディオデータを、前記複数のタイプのいずれかのタイプで、かつ、前記複数の記録パターンのいずれかのパターンで、前記オーディオデータ記録領域に記録することを特徴とする記録再生装置。
【請求項７】
前記オーディオデータ記録領域のタイプは、非圧縮のオーディオデータ形式で、サンプリング周波数Ｆで、量子化ビット数Ｂで、チャンネル数Ｎのデータが格納できるように、ＦまたはＢまたはＮを変えて複数のタイプを設けたことを特徴とする、請求項６に記載の記録再生装置。
【請求項８】
前記オーディオデータ記録領域のタイプは、圧縮されたオーディオデータの形式で、サンプリング周波数Ｆで、量子化ビット数Ｂで、圧縮率Ｃで、チャンネル数Ｎのデータが格納できるように、ＦまたはＢまたはＣまたはＮを変えて複数のタイプを設けたことを特徴とする、請求項６に記載の記録再生装置。
【請求項９】
前記オーディオデータ記録領域の記録パターンは、圧縮されたオーディオデータと、非圧縮のオーディオデータを混在して記録するパターンを含むことを特徴とする、請求項６に記載の記録再生装置。
【請求項１０】
前記オーディオデータ記録領域の記録パターンは、サンプリング周波数Ｆで、量子化ビット数Ｂで、チャンネル数Ｎのオーディオデータが格納できるサイズで確保された記録領域に対して、Ｆよりも低いサンプリング周波数、または、Ｂよりも小さい量子化ビット数、または、Ｎよりも少ないチャンネル数で記録するパターンを含むことを特徴とする、請求項６に記載の記録再生装置。
【請求項１１】
前記オーディオデータ記録領域の記録パターンは、サンプリング周波数Ｆで、量子化ビット数Ｂで、チャンネル数Ｎのオーディオデータが格納できるサイズで確保された記録領域に対して、Ｆよりも低いサンプリング周波数、または、Ｂよりも小さい量子化ビット数、または、Ｎよりも少ないチャンネル数で記録することで使用領域を少なくし、代わりに、メタデータも記録するようにしたパターンを含むことを特徴とする、請求項６に記載の記録再生装置。
【請求項１２】
前記オーディオデータ記録領域の記録パターンは、サンプリング周波数Ｆで、量子化ビット数Ｂで、チャンネル数Ｎのオーディオデータが格納できるサイズで確保された記録領域に対して、Ｆよりも低いサンプリング周波数、または、Ｂよりも小さい量子化ビット数、または、Ｎよりも少ないチャンネル数で記録することで使用領域を少なくし、代わりに、圧縮された形式のオーディオデータも記録するようにしたパターンを含むことを特徴とする、請求項６に記載の記録再生装置。
【請求項１３】
前記オーディオデータ記録領域の記録パターンは、サンプリング周波数Ｆで、量子化ビット数Ｂで、チャンネル数Ｎのオーディオデータが格納できるサイズで確保された記録領域に対して、Ｆよりも低いサンプリング周波数、または、Ｂよりも小さい量子化ビット数で記録することで、使用領域を少なくし、代わりに、Ｎよりも多いチャンネル数で記録するようにしたパターンを含むことを特徴とする、請求項６に記載の記録再生装置。
【請求項１４】
前記オーディオデータ記録領域の記録パターンは、サンプリング周波数Ｆで、量子化ビット数Ｂで、チャンネル数Ｎのオーディオデータが格納できるサイズで確保された記録領域に対して、Ｎよりも少ないチャンネル数で記録することで使用領域を少なくし、代わりに、Ｆよりも高いサンプリング周波数、または、Ｂよりも大きい量子化ビット数で記録するようにしたパターンを含むことを特徴とする、請求項６に記載の記録再生装置。
【請求項１５】
前記オーディオデータ記録領域の記録パターンは、サンプリング周波数Ｆで、量子化ビット数Ｂで、チャンネル数Ｎのオーディオデータが格納できるサイズで確保された記録領域に対して、非圧縮のオーディオデータを記録しない代わりに、圧縮された形式のオーディオデータを記録するようにしたパターンを含むことを特徴とする、請求項６に記載の記録再生装置。
【請求項１６】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、Ｆよりも低いサンプリング周波数、または、Ｂよりも小さい量子化ビット数、または、Ｃよりも高い圧縮率、または、Ｎよりも少ないチャンネル数で記録するパターンを含むことを特徴とする、請求項６に記載の記録再生装置。
【請求項１７】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、Ｆよりも低いサンプリング周波数、または、Ｂよりも小さい量子化ビット数、または、Ｃよりも高い圧縮率、または、Ｎよりも少ないチャンネル数で記録することで使用領域を少なくし、代わりに、メタデータも記録するようにしたパターンを含むことを特徴とする、請求項６に記載の記録再生装置。
【請求項１８】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、Ｆよりも低いサンプリング周波数、または、Ｂよりも小さい量子化ビット数、または、Ｃよりも高い圧縮率、または、Ｎよりも少ないチャンネル数で記録することで使用領域を少なくし、代わりに、非圧縮のオーディオデータも記録するようにしたパターンを含むことを特徴とする、請求項６に記載の記録再生装置。
【請求項１９】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、Ｆよりも低いサンプリング周波数、または、Ｂよりも小さい量子化ビット数、または、Ｃよりも高い圧縮率で記録することで使用領域を少なくし、代わりに、Ｎよりも多いチャンネル数で記録するようにしたパターンを含むことを特徴とする、請求項６に記載の記録再生装置。
【請求項２０】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、Ｎよりも少ないチャンネル数で記録することで使用領域を少なくし、代わりに、Ｆよりも高いサンプリング周波数、または、Ｂよりも大きい量子化ビット数、または、Ｃよりも低い圧縮率で記録するようにしたパターンを含むことを特徴とする、請求項６に記載の記録再生装置。
【請求項２１】
前記オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、圧縮された形式のオーディオデータを記録しない代わりに、非圧縮のオーディオデータを記録するようにしたパターンを含むことを特徴とする、請求項６に記載の記録再生装置。
【請求項２２】
ビデオデータとオーディオデータが独立して記録される情報記録媒体であって、
オーディオデータ記録領域は、サイズ別に複数のタイプを有し、さらに、個々のタイプについて複数の記録パターンを有し、
前記オーディオデータは、前記複数のタイプのいずれかのタイプで、かつ、前記複数の記録パターンのいずれかのパターンで、前記オーディオデータ記録領域に記録され、
前記オーディオデータ記録領域の記録時に使用されたタイプと記録パターンの情報が、
前記情報記録媒体の目次情報、または、記録素材別の目次情報、または、前記オーディオデータ記録領域に隣接した領域、または、前記オーディオデータ記録領域の一部に記録されていることを特徴とする情報記録媒体。
【請求項２３】
ビデオデータとオーディオデータを独立して記録する記録再生装置であって、
オーディオデータ記録領域は、サイズ別に複数のタイプを有し、さらに、個々のタイプについて複数の記録パターンを有し、
前記オーディオデータを、前記複数のタイプのいずれかのタイプで、かつ、前記複数の記録パターンのいずれかのパターンで、前記オーディオデータ記録領域に記録し、
前記オーディオデータ記録領域の記録時に使用されたタイプと記録パターンの情報を、
前記情報記録媒体の目次情報、または、記録素材別の目次情報、または、前記オーディオデータ記録領域に隣接した領域、または、前記オーディオデータ記録領域の一部に記録することを特徴とする記録再生装置。
【請求項２４】
ビデオデータとオーディオデータが交互に独立して記録される情報記録媒体であって、
個々のオーディオデータ記録領域の内部、または、
個々のビデオデータ記録領域の内部、または、
個々のオーディオデータ記録領域に隣接して、または、
個々のビデオデータ記録領域に隣接して、
交替領域が設けられていることを特徴とする情報記録媒体。
【請求項２５】
ビデオデータとオーディオデータを交互に独立して記録する記録再生装置であって、
個々のオーディオデータ記録領域の内部、または、
個々のビデオデータ記録領域の内部、または、
個々のオーディオデータ記録領域に隣接して、または、
個々のビデオデータ記録領域に隣接して、
交替領域を設けることを特徴とする記録再生装置。
【請求項２６】
ビデオデータとオーディオデータが交互に独立して記録される情報記録媒体であって、
オーディオデータ記録領域またはビデオデータ記録領域の内部を、複数のチャンネル領域に分割し、個々の前記チャンネル領域の内部、または、個々の前記チャンネル領域に隣接して、交替領域が設けられていることを特徴とする情報記録媒体。
【請求項２７】
ビデオデータとオーディオデータが交互に独立して記録される情報記録媒体であって、
オーディオデータ記録領域には、前記オーディオデータとメタデータを記録し、前記オーディオデータ記録領域の内部、または、前記オーディオデータ記録領域に隣接して、交替領域が設けられ、
前記交替領域は、前記オーディオデータおよび前記メタデータで共用の交替領域として使用されることを特徴とする情報記録媒体。
【請求項２８】
前記交替領域は、前記オーディオデータが記録された領域と、前記メタデータが記録された領域の間に設けられていること
を特徴とする請求項２７に記載の情報記録媒体。
【請求項２９】
ビデオデータとオーディオデータが交互に独立して記録される情報記録媒体であって、
ビデオデータ記録領域には、前記ビデオデータとメタデータを記録し、
前記ビデオデータ記録領域の内部、または、前記ビデオデータ記録領域に隣接して、交替領域が設けられ、
前記交替領域は、前記ビデオデータおよび前記メタデータで共用の交替領域として使用されることを特徴とする情報記録媒体。
【請求項３０】
前記交替領域は、前記ビデオデータが記録された領域と、前記メタデータが記録された領域の間に設けられていることを特徴とする請求項２９に記載の情報記録媒体。
【発明の詳細な説明】
【０００１】
【発明の属する技術分野】
本発明は、情報記録媒体に映像や音声を記録する際の、記録フォーマットおよび記録再生装置に関する。
【０００２】
【従来の技術】
映像や音声を記録する情報記録媒体として光ディスクや半導体メモリが普及しつつある。これらの媒体は、近年、大容量化と高速化が進み、オーディオデータまたはビデオデータを含むリアルタイム・データの記録や再生、そして編集の用途が広がっている。
【０００３】
編集の一形態として、アフレコ編集と呼ばれる編集方法がある。アフレコ編集とは、既に情報記録媒体に記録済みのデータを再生し、再生されたデータを加工して、再び情報記録媒体に記録する編集方法である。アフレコ編集の例としては、記録済みのオーディオデータやビデオデータを再生し、オーディオデータにＢＧＭの音楽をミキシングしたり、ビデオデータにテロップ画像を重ねる処理を行ない、再び情報記録媒体に記録する等の使われ方が考えられる。
【０００４】
ここで、左と右の音声、すなわち、２チャンネル分のオリジナルのオーディオデータが既に情報記録媒体に記録されているとして、オーディオデータのアフレコ編集の一例について説明する。オーディオデータのアフレコ編集では、この２チャンネル分のオリジナルのオーディオデータを再生し、ＢＧＭやナレーションの音声をミキシングすることで、新たに２チャンネル分のアフレコ用オーディオデータが生成される。そして、２チャンネル分のアフレコ用オーディオデータを情報記録媒体に記録する場合、既に情報記録媒体に存在するオリジナルのオーディオデータに対して、これと同じ記録領域に、アフレコ用オーディオデータを上書きして記録することが考えられる。しかし、記録したアフレコ用オーディオデータを試聴した結果、ＢＧＭやナレーションをやり直したい、等のやり直し要求が生じることも考えられ、この場合、情報記録媒体にはオリジナルのオーディオデータが残っていないため、このようなアフレコ編集のやり直し作業は困難になる。
【０００５】
そこで従来例では、多チャンネルのオーディオ記録や、上記のような編集用途も考慮して、あらかじめ４チャンネル分や、それ以上のチャンネル数のオーディオデータ記録領域を確保した光ディスクの記録フォーマットがある。（例えば、特許文献１参照）。
【０００６】
以下では図２を参照しながら、従来の記録フォーマットについて説明する。図２は従来例の記録フォーマットを模式的に表した図であり、図２（ａ）はディスク媒体上の記録領域を一次元的に表した図である。図２（ａ）において、２０１、２１１、２２１はオーディオデータ記録領域、２０２、２１２、２２２はビデオデータ記録領域を表しており、各々の記録領域は数秒程度のデータが記録できるサイズであり、ディスク媒体上でオーディオデータとビデオデータは独立して交互に記録される。また、Ａ１、Ａ２、Ａｊはオーディオデータ、Ｖ１、Ｖ２、Ｖｊはビデオデータを表しており、オーディオデータＡ１の音声には、ビデオデータＶ１の映像が対応している。以降、Ａ２とＶ２、ＡｊとＶｊがそれぞれ対応している。また、図示していないが、オーディオデータＡ１よりも前の領域や、ビデオデータＶ２とオーディオデータＡｊの間の領域、ビデオデータＶｊよりも後ろの領域には、オーディオデータとビデオデータが無数に存在している。
【０００７】
図２（ｂ）は、オーディオデータ記録領域の内部を詳細に表した図である。図２（ｂ）において、オーディオデータ記録領域２２１は、４チャンネル分のオーディオデータ記録領域から成り、各チャンネルの記録領域は、ｃｈ１、ｃｈ２、ｃｈ３、ｃｈ４で表されている。
【０００８】
以上のように表されたディスク媒体の記録フォーマットについて、以下、その記録方法の一例を説明する。図２に示すような記録フォーマットを有するディスク媒体を使って、カメラレコーダで記録を行う場合には、例えば、映像と共に２チャンネル分のオーディオデータだけを記録する。すなわち図２（ａ）における、各オーディオデータ記録領域２０１、２１１、２２１に対して、図２（ｂ）のｃｈ１とｃｈ２の領域だけにオーディオデータを記録する。そして、記録が終わったディスク媒体を使ってアフレコ編集をする際には、各オーディオデータ記録領域に対して、映像と共にそれぞれｃｈ１とｃｈ２のオーディオデータだけを再生する。そして、再生したオーディオデータを加工してアフレコ用のオーディオデータを作成した後、このアフレコ用のオーディオデータを、ｃｈ３とｃｈ４の記録領域に記録する。これによって、オリジナルのオーディオデータをｃｈ１とｃｈ２の記録領域に残したまま、アフレコ用のオーディオデータをｃｈ３とｃｈ４の記録領域に記録できることになる。従って、編集後もオリジナルのオーディオデータがディスク媒体上に上書きされずに残っているため、アフレコ編集のやり直しにも対応することができる。
【０００９】
【特許文献１】
特開平１１−８８８２７号公報（第２図）
【００１０】
【発明が解決しようとする課題】
しかしながら、上記の従来の方法では、オーディオデータ記録領域のフォーマットに自由度が無いために、様々な形式のオーディオデータや、映像や音声に関する付加情報などをオーディオデータと一緒に記録できないという課題があった。この課題について、以下、説明する。
【００１１】
オーディオデータの形式には様々な種類があるが、その一例として、リニアＰＣＭ（Ｐｕｌｓｅ  Ｃｏｄｅ  Ｍｏｄｕｌａｔｉｏｎ）などの非圧縮形式や、ＡＣ−３、Ｄｏｌｂｙ−Ｅ、ＭＰＥＧ−Ａｕｄｉｏなどの圧縮形式がある。非圧縮形式の１つであるリニアＰＣＭは、オーディオデータを量子化する際のビット数として、１２ビット、１６ｂｉｔ、２０ｂｉｔ、２４ｂｉｔなど様々な種類があり、量子化する際のサンプリング周波数も、３２ｋＨｚ、４４ｋＨｚ、４４．１ｋＨｚ、４８ｋＨｚ、９６ｋＨｚなど様々な種類がある。従って、同じ数秒のオーディオデータをリニアＰＣＭで記録した場合でも、記録するオーディオデータの形式によって、その記録データのサイズは異なってくる。
【００１２】
また、圧縮形式のオーディオデータにも様々な形式があり、例えば、編集作業で再生と記録を繰り返してデータの圧縮や伸長が繰り返されても、圧縮効率を犠牲にする代わりに、音質の劣化が少なくなるようにした形式や、転送ビットレートの低い伝送路や少ない記録領域でも多チャンネルのオーディオデータを扱えるように圧縮効率を高めた形式などがある。多チャンネルのオーディオデータが記録できると、１つの映像に対して、多数のスピーカーから立体的な音響を再生したり、多言語の音声を再生するなどの用途が広がる。また、圧縮形式のオーディオデータは、２チャンネル分や８チャンネル分などのオーディオデータをまとめて圧縮することができるため、情報記録媒体上の１チャンネル分のオーディオデータ記録領域に、多チャンネルのオーディオデータを記録することも可能である。従って、情報記録媒体上にオーディオデータ記録領域として確保したチャンネル数と、実際に記録されているオーディオデータの実質的なチャンネル数は異なることがあり、例えば１チャンネル分のオーディオデータ記録領域に、６チャンネル相当の圧縮形式のオーディオデータを記録することもできる。
【００１３】
また、ビデオデータやオーディオデータには、これらの情報に関連したメタデータと呼ばれる付加的な情報がある。メタデータには様々な種類があるが、１つの分類として、記録の開始から終了までの間に、時々刻々と値が変化するようなリアルタイム・メタデータと、一定の値のまま変化しない非リアルタイム・メタデータがある。オーディオデータに対するリアルタイム・メタデータの例としては、個々のオーディオデータを再生する時に、音声のダイナミックレンジを動的に変化させるための情報や、再生時の音声を強調するタイミングを指示するための情報などがある。オーディオデータに対する非リアルタイム・メタデータの例としては、記録時のマイクの入力ゲイン設定値や、音声の記録モードなどがある。これらはメタデータの一例であり、上記以外にも様々なメタデータが存在する。このような様々なメタデータのうち、非リアルタイム・メタデータは、記録の開始時から終了時まで値が変化しないため、これらは記録の開始時や終了時に、情報記録媒体上の所定の領域に一度記録すれば良い。一方で、記録中に時々刻々と変化するリアルタイム・メタデータは、記録中のオーディオデータ１つ１つに対して、対応するメタデータを関連付けて記録していくことが必要である。この理由は、再生時に、オーディオデータを１つ再生する毎に、それに対応するリアルタイム・メタデータを同時に処理することが必要になるためである。また、メタデータには様々な種類があるため、用途に応じて必要最小限のメタデータだけを記録したい場合もあれば、多くの種類のメタデータを記録したい場合も考えられる。
【００１４】
このような状況において、従来の記録フォーマットでは、情報記録媒体上に記録できるオーディオデータに関して、あらかじめ、記録領域の内部構成が決められているために、柔軟に対応することが困難であった。
【００１５】
例えば、記録フォーマットのオーディオデータ記録領域が、リニアＰＣＭの４８ｋＨｚ１２ｂｉｔで４チャンネル分と決められている場合、この記憶領域に、さらに高音質なオーディオデータとして、例えばリニアＰＣＭの４８ｋＨｚ２４ｂｉｔのオーディオデータを記録しようとすると、１チャンネルあたりの記録領域のサイズが不足するために、高音質なオーディオデータを記録することができない。
【００１６】
さらに、オーディオデータに関するリアルタイム・メタデータを記録する領域が確保されていないため、記録したオーディオデータに対応してリアルタイム・メタデータを一緒に記録することが困難である。
【００１７】
また、アフレコの記録時などに記録領域内で欠陥が発生した場合、従来例では交替領域が確保されていないため、例えば、情報記録媒体上の空き領域や、あらかじめ決められた別領域に交替領域を確保する必要がある。この場合、交替処理のために、情報記録媒体上の離れた場所にある交替領域までアクセスすることになり、余分なアクセスが発生するため、リアルタイム・データの記録や再生が途切れることがある。
【００１８】
本発明は、従来の方法の課題に鑑み、オーディオデータ記録領域の記録フォーマットに柔軟性を持たせて、様々な形式のオーディオデータを記録可能にするとともに、メタデータも一緒に記録でき、さらには交替処理も考慮に入れた効率の良い記録フォーマットを提供することを目的とする。
【００１９】
【課題を解決するための手段】
この課題を解決するために、本発明の情報記録媒体および記録再生装置は、ビデオデータとオーディオデータを独立して記録する記録再生装置や情報記録媒体において、オーディオデータ記録領域またはビデオデータ記録領域の内部を、複数のチャンネル領域に分割し、そのチャンネル領域のうち、１つ以上の領域をメタデータの記録に使用するようにした。
【００２０】
また、オーディオデータ記録領域に記録するオーディオデータのサイズ、または、ビデオデータ記録領域に記録するビデオデータのサイズが、情報記録媒体の記録単位の整数倍に満たない場合に、少なくともメタデータを含むデータを追加することで記録単位の整数倍のサイズにして記録するようにした。
【００２１】
また、オーディオデータ記録領域は、サイズ別に複数のタイプを有し、さらに、個々のタイプについて複数の記録パターンを有し、オーディオデータは、複数のタイプのいずれかのタイプで、かつ、複数の記録パターンのいずれかのパターンで記録されるようにした。
【００２２】
また、オーディオデータ記録領域のタイプは、非圧縮のオーディオデータ形式で、サンプリング周波数Ｆで、量子化ビット数Ｂで、チャンネル数Ｎのデータが格納できるように、ＦまたはＢまたはＮを変えて複数のタイプを設けた。
【００２３】
また、オーディオデータ記録領域のタイプは、圧縮されたオーディオデータの形式で、サンプリング周波数Ｆで、量子化ビット数Ｂで、圧縮率Ｃで、チャンネル数Ｎのデータが格納できるように、ＦまたはＢまたはＣまたはＮを変えて複数のタイプを設けた。
【００２４】
また、オーディオデータ記録領域の記録パターンは、圧縮されたオーディオデータと、非圧縮のオーディオデータを混在して記録するパターンを含むようにした。
【００２５】
また、オーディオデータ記録領域の記録パターンは、サンプリング周波数Ｆで、量子化ビット数Ｂで、チャンネル数Ｎのオーディオデータが格納できるサイズで確保された記録領域に対して、ＦまたはＢまたはＮを変化させて記録するパターンや、メタデータや圧縮されたオーディオデータを記録するパターンを含むようにした。
【００２６】
また、オーディオデータ記録領域の記録パターンは、サンプリング周波数Ｆで、量子化ビット数Ｂで、圧縮率Ｃで、チャンネル数Ｎのオーディオデータが格納できるサイズで確保された記録領域に対して、ＦまたはＢまたはＣまたはＮを変化させて記録するパターンや、メタデータや非圧縮のオーディオデータを記録するパターンを含むようにした。
【００２７】
また、オーディオデータ記録領域の記録時に使用されたタイプと記録パターンの情報が、情報記録媒体の目次情報、または、記録素材別の目次情報、または、オーディオデータ記録領域に隣接した領域、または、オーディオデータ記録領域の一部に記録されるようにした。
【００２８】
また、個々のオーディオデータ記録領域の内部、または、個々のビデオデータ記録領域の内部、または、個々のオーディオデータ記録領域に隣接して、または、個々のビデオデータ記録領域に隣接して交替領域を設けた。
【００２９】
また、オーディオデータ記録領域またはビデオデータ記録領域の内部を、複数のチャンネル領域に分割し、個々のチャンネル領域の内部、または、個々のチャンネル領域に隣接して、交替領域を設けた。
【００３０】
また、オーディオデータ記録領域には、オーディオデータとメタデータを記録し、オーディオデータ記録領域の内部、または、オーディオデータ記録領域に隣接して交替領域を設けて、交替領域は、オーディオデータおよびメタデータで共用の交替領域として使用されるようにした。
【００３１】
また、交替領域は、オーディオデータが記録される領域と、メタデータが記録される領域の間に設けるようにした。
【００３２】
また、ビデオデータ記録領域には、ビデオデータとメタデータを記録し、ビデオデータ記録領域の内部、または、ビデオデータ記録領域に隣接して、交替領域を設けて、交替領域は、ビデオデータおよびメタデータで共用の交替領域として使用されるようにした。
【００３３】
また、交替領域は、ビデオデータが記録される領域と、メタデータが記録される領域の間に設けるようにした。
【００３４】
【発明の実施の形態】
以下、本発明の実施の形態について、図面を参照して説明する。
【００３５】
（実施の形態１）
はじめに、本発明の情報記録媒体の記録フォーマットについて説明する。図１は、本発明の情報記録媒体の第１の記録フォーマットを表しており、図１において、オーディオデータ記録領域２２１は、図２で説明したものと同様に、情報記録媒体上にビデオデータ記録領域とオーディオデータ記録領域が独立して交互に配置され、そのうちの１つのオーディオデータ記録領域を表したものである。このオーディオデータ記録領域２２１の内部を詳細に表したものが、図１（ａ）と図１（ｂ）と図１（ｃ）である。
【００３６】
図１（ａ）において、ＭＡはメタデータを表し、４チャンネル分のオーディオデータは、それぞれｃｈ１Ａ、ｃｈ２Ａ、ｃｈ３Ａ、ｃｈ４Ａで表している。また、ＲＡは交替領域を表している。図１（ｂ）では、４チャンネル分のオーディオデータを、それぞれｃｈ１Ｂ、ｃｈ２Ｂ、ｃｈ３Ｂ、ｃｈ４Ｂで表している。
さらにｃｈ３Ｂには、オーディオデータの代わりに、メタデータＭＢが記録されている。また、ＲＢ１、ＲＢ２、ＲＢ３、ＲＢ４は交替領域を表している。図１（ｃ）では、８チャンネル分のオーディオデータを、それぞれｃｈ１Ｃ、ｃｈ２Ｃ、ｃｈ３Ｃ、ｃｈ４Ｃ、ｃｈ５Ｃ、ｃｈ６Ｃ、ｃｈ７Ｃ、ｃｈ８Ｃで表している。また、ＭＣはメタデータを表し、ＲＣは交替領域を表している。
【００３７】
以下では、図１（ａ）、（ｂ）、（ｃ）に示した本発明の記録フォーマットの特徴について説明する。まず図１（ａ）では、オーディオデータ記録領域２２１の内部に、メタデータＭＡを記録する領域が設けられている。これによって、ｃｈ１Ａからｃｈ４Ａに記録されたオーディオデータに関するメタデータを、オーディオデータと一緒に記録することが可能になる。この利点は、例えば光ディスクのような情報記録媒体に適用すると、オーディオデータとメタデータが互いに隣接して記録されるので、記録時や再生時に、両者のデータを連続してアクセスできるようになる。このことは、シークなどのアクセス動作の発生を防止できるので、映像や音声などのリアルタイム・データを途切れずに記録や再生できる利点がある。
【００３８】
また、図１（ａ）では、オーディオデータ記録領域の内部に、交替領域ＲＡが設けられている。光ディスクや半導体メモリなどの情報記録媒体では、媒体上に欠陥が発生すると、その欠陥を含む所定のサイズのブロックが、記録または再生不可能な状態になる。オーディオデータ記録領域でこの欠陥が発生すると、例えば１ブロックの欠陥につき、数キロバイトから数百キロバイトのデータが失われる。このような欠陥を含む領域を再生すると、再生した音声が途切れたり、音声にノイズが発生することがある。このような場合、欠陥が発生したブロックを、他の正常なブロックと交替する交替処理を行うことが望ましい。この交替処理を行う場合、例えば光ディスクのような情報記録媒体では、欠陥が発生したブロックと、交替に使う正常なブロックが、ディスク上で互いに離れていると、記録や再生時にアクセスが発生し、リアルタイム・データの記録や再生が困難になる。
そこで、本発明の記録フォーマットでは、オーディオデータ記録領域の内部に交替領域を設けている。例えば図１（ａ）のｃｈ４Ａに欠陥が発生した場合に、交替領域ＲＡの一部のブロックを使って、ｃｈ４Ａの欠陥ブロックを交替する。この交替処理によって、オーディオデータｃｈ４Ａは、そのデータの一部が交替領域ＲＡに存在することになる。しかし、再生時にはｃｈ４ＡとＲＡを連続的に読み出し、読み出したデータをメモリ上で順番を入れ替えて処理することで、正しい音声を再生することができる。すなわち、オーディオデータ記録領域１つ１つに対して、その内部に交替領域を持つことで、オーディオデータと交替領域のデータを連続的にアクセスできるようになるため、再生時にシークなどのアクセス動作が発生することを防止できる利点がある。
【００３９】
また、図１（ｂ）では、各チャンネルのオーディオデータそれぞれに、交替領域を設けている。例えば、オーディオデータｃｈ１Ｂの交替領域はＲＢ１であり、オーディオデータｃｈ２Ｂの交替領域はＲＢ２が対応している。このように、オーディオデータの各チャンネル毎に、隣接して交替領域を確保しておくと、欠陥が発生した場合の交替領域までの距離が近くなる利点がある。例えば、図１（ａ）では、ｃｈ１Ａで欠陥が発生した場合、交替領域は全てのチャンネルで共用しているＲＡを使用することになるため、ｃｈ１ＡとＲＡは距離が離れている。
従って、ｃｈ１Ａの音声を再生するには、ｃｈ１Ａを読み出した後、さらに交替領域ＲＡを読み出すまで待つ必要がある。しかし、図２（ｂ）の場合は、ｃｈ１Ｂで欠陥が発生しても、ｃｈ１Ｂ用の交替領域ＲＢ１が隣接して設けられているため、ｃｈ１ＢとＲＢ１の距離が近い。従って、ｃｈ１Ｂの音声を再生するには、ｃｈ１ＢとＲＢ１を読み出せば良いため、短い待ち時間で音声の出力が可能になる。
【００４０】
さらに、図１（ｂ）では、オーディオデータのｃｈ３Ｂに、メタデータＭＢを記録している。このような仕組みを設けておくと、例えば図１（ｂ）のように、４チャンネル分のオーディオデータ記録領域だけが確保された状態で、実際の記録時には、２チャンネル分の音声とメタデータを記録したい場合がある。このような場合、２チャンネル分のオーディオデータを記録するために、ｃｈ１Ｂとｃｈ２Ｂを使用し、残りのｃｈ３Ｂとｃｈ４Ｂは使わないことになる。さらに、メタデータを記録したいにも関わらず、メタデータを記録する領域は確保されていない。そこで、未使用のチャンネルのうち、ｃｈ３Ｂにメタデータを記録する。
これによって、あらかじめメタデータを記録する領域が確保されていない場合でも、未使用の音声チャンネルの領域にメタデータを記録する仕組みを設けておくことで、記録時の要求に柔軟に対応できるようになる。このようなフォーマットでは、さらに、記録時に大量のメタデータを記録したい場合などにも、ｃｈ３Ｂだけでなく、ｃｈ４Ｂなどの空きチャンネルもメタデータ記録に使用することで、必要なメタデータを記録することが可能になる。
【００４１】
また、図１（ａ）と図１（ｃ）を比較すると、同じオーディオデータ記録領域２２１の内部に、図１（ａ）では４チャンネル分の領域を確保し、図１（ｃ）では８チャンネル分の領域を確保している。さらに、図１（ａ）と図１（ｂ）を比較すると、どちらも４チャンネル分の領域を確保しているが、１チャンネルあたりの記録領域のサイズが異なっていることが分かる。例えば、図１（ａ）ではオーディオデータの１チャンネルあたりの記録領域に、リニアＰＣＭの４８ｋＨｚ１６ビットの形式で記録できるサイズが確保されており、これがｃｈ１Ａからｃｈ４Ａまで４チャンネル分ある。一方で、図１（ｂ）では、オーディオデータの１チャンネルあたりの記録領域に、リニアＰＣＭの４８ｋＨｚ２４ビットの形式で記録できるサイズが確保されており、これがｃｈ１Ｂからｃｈ４Ｂまで４チャンネル分ある。図１（ａ）は図１（ｂ）よりもオーディオデータの量子化ビット数が少ないため、音質は劣るが、その代わりに図１（ａ）のＭＡで示されるように、大量のメタデータを記録する領域が確保されている。また、図１（ｃ）では、オーディオデータの１チャンネルあたりの記録領域に、リニアＰＣＭの３２ｋＨｚ１２ビットの形式で記録できるサイズが確保されており、これがｃｈ１Ｃからｃｈ８Ｃまで８チャンネル分ある。図１（ｃ）はオーディオデータの量子化ビット数をさらに少なくし、サンプリング周波数も下げることで音質を下げているが、その代わりに、８チャンネル分の記録領域を確保すると同時に、図１（ｃ）のＭＣで示されるように、大量のメタデータを記録する領域が確保されている。
このように、オーディオデータ記録領域の記録フォーマットに柔軟性を持たせることで、多チャンネルの記録領域を確保し、さらに１チャンネルあたりの領域のサイズも変化させることで、多種多様なオーディオデータの形式に対応し、必要に応じてメタデータの記録領域も確保することができる。
【００４２】
また、図１（ｃ）では、交替領域ＲＣを、オーディオデータｃｈ８ＣとメタデータＭＣの間に配置している。これは、図１（ｃ）のＭＣのように大量のメタデータ記録領域を確保すると、その領域内で欠陥が発生する確率が高くなるため、オーディオデータで欠陥が発生した場合だけでなく、メタデータで欠陥が発生した場合も考慮し、両方のケースを想定して、その中間に交替領域を配置している。これによって、交替処理が発生した時の交替領域までの距離を、オーディオデータとメタデータの双方から同じ程度にすることができる。また、交替領域をあまり多く確保すると、情報記録媒体の記録可能なサイズが低下する。従って、図１（ｃ）では、オーディオデータとメタデータで１つの交替領域ＲＣを共用することで、少ない交替領域を有効に利用して、情報記録媒体の記録可能なサイズの低下を必要最小限に抑える利点がある。
【００４３】
なお、交替領域の配置場所は、必要に応じて、オーディオデータ記録領域内の先頭、末尾、中間のいずれの場所に配置しても良く、メタデータとオーディオデータの配置順番も上記の説明に限定したものではない。
【００４４】
また、欠陥が多発して、交替領域をすべて使い切った場合は、未使用のオーディオデータ記録領域や、未使用のメタデータ記録領域を交替領域として使っても良い。また、このように欠陥が多発した場合は、オーディオデータ記録領域全体を、情報記録媒体上の別の位置へ移動しても良い。
【００４５】
また、上記の実施例は、情報記録媒体上にビデオデータ記録領域とオーディオデータ記録領域が独立して交互に配置される例で説明したが、ビデオデータとオーディオデータが独立して記録される媒体や装置であれば、交互に配置されていなくても同様の効果が得られる。
【００４６】
（実施の形態２）
次に、本発明の実施の形態２について説明する。図３は、本発明の情報記録媒体の第２の記録フォーマットを表しており、３種類の記録フォーマットを、それぞれ図３（ａ）、（ｂ）、（ｃ）に表している。図３において、ＡＮとＡＭとＡＷはオーディオデータ記録領域を表しており、ＶＡとＶＢとＶＣはビデオデータ記録領域を表している。これらの記録領域は、図２で説明したオーディオデータ記録領域２２１とビデオデータ記録領域２２２に対応しており、情報記録媒体上にオーディオデータ記録領域とビデオデータ記録領域が独立して交互に配置されているものとする。
【００４７】
以上のように表された本発明の第２の記録フォーマットについて、その内容を説明する。オーディオデータ記録領域には、様々な形式のオーディオデータが、多チャンネルで記録できる必要があり、さらには、メタデータも記録できることが望ましい。このようなオーディオデータの形式、チャンネル数、メタデータのサイズなどは、記録や編集の用途に応じて、様々な種類と組合せが考えられ、必要となる記録領域のサイズも異なってくる。そこで、本発明の記録フォーマットでは、オーディオデータ記録領域のサイズを可変にして複数のタイプを設けた。
図３では、そのうちの代表的な３種類のタイプを図示しており、オーディオデータ記録領域は、ＡＮ、ＡＭ、ＡＷの順に、徐々に記録領域のサイズが大きくなっている。
【００４８】
これらのオーディオデータ記録領域のタイプについて、そのサイズと、領域内の記録パターンの一例をテーブルとして表したものが図４である。図４のテーブルには、３種類の記録領域のタイプとして、タイプＡＮ、タイプＡＭ、タイプＡＷが表されており、それぞれのタイプについて、記録領域のサイズと領域内部の記録パターンを表している。
【００４９】
例えば、３種類のオーディオデータ記録領域のタイプのうち、中ぐらいの記録領域サイズを持つタイプＡＭの場合、オーディオデータ記録領域１つあたりのサイズは、リニアＰＣＭの量子化ビット数２４ビットで４チャンネル相当のデータが記録できるサイズが確保される。記録領域のサイズには、この他にも、量子化する際のサンプリング周波数や、記録領域１つあたりの記録時間の長さ、記録するメタデータの種類とサイズ、圧縮データの場合は、圧縮方式や圧縮後のビットレートも関係があるため、これらの種類に応じて、図４のテーブルを何種類か用意しても良い。これらのテーブルを用いて、用途に応じたタイプを選択すれば、そのタイプの領域サイズの範囲内で、様々なパターンでオーディオデータを記録することができる。
【００５０】
図５は、オーディオデータ記録領域の記録パターンの詳細を表した図である。
図５において、２２１は１つのオーディオデータ記録領域を表しており、その内部の記録パターンの一例として、図５（ａ）、（ｂ）、（ｃ）、（ｄ）の４つのパターンを表している。以下では、図４と図５を用いて、その記録方法について説明する。
【００５１】
例えば、情報記録媒体に映像と音声の記録を行う際に、オーディオデータの記録フォーマットとして、図４のタイプＡＭを選択したとする。図４のタイプＡＭには、様々な記録パターンがあるが、このうち、タイプＡＭのパターン１を選択すると、リニアＰＣＭなどの非圧縮のオーディオデータを２４ビットで４チャンネル記録できる。図５（ａ）は、タイプＡＭのパターン１で記録された様子を表しており、オーディオデータ記録領域の内部は、ｃｈ１、ｃｈ２、ｃｈ３、ｃｈ４で表された４つの領域に分割され、それぞれの領域に、非圧縮のオーディオデータが量子化ビット数２４ビットの形式で記録される。図４のテーブルにおいて、タイプＡＭのパターン１を見ると、圧縮の項目が、なし、と記載されている。この意味は、４チャンネル分の非圧縮２４ビットのオーディオデータで記録領域がいっぱいになるため、この領域に、さらに圧縮形式のオーディオデータなどを一緒に記録することはできないことを表している。
【００５２】
また、図４において、タイプＡＭのパターン２を選択すると、非圧縮のオーディオデータを２４ビットで記録できるチャンネル数が２チャンネルに減少するが、その代わりに、非圧縮のオーディオデータに加えて、圧縮形式のオーディオデータも一緒に記録できる。圧縮形式のオーディオデータは、多チャンネルのデータを１つのデータに圧縮できるため、図４のタイプＡＭのパターン２に記載されている圧縮の項目、１６ｂｉｔ×４ｃｈ×１、の意味は、１６ビットで量子化された４チャンネル分のデータを圧縮して、これを１つ記録できることを意味している。図５（ｂ）は、上記のタイプＡＭのパターン２で記録された様子を表しており、オーディオデータ記録領域の内部は、ｃｈ１とｃｈ２に、非圧縮のオーディオデータがそれぞれ量子化ビット数２４ビットで記録され、さらに、圧縮形式のオーディオデータとして、１６ｂｉｔ×４ｃｈのデータが１つに圧縮され記録されている。圧縮形式のオーディオデータは、非圧縮の２４ビットデータ２チャンネル分のサイズよりも小さいため、残りの領域は空きになっている。この空き領域に、メタデータを記録しても良い。
【００５３】
また、図４において、タイプＡＭのパターン３を選択すると、非圧縮のオーディオデータを１６ビットで２チャンネル記録し、さらに、圧縮形式のオーディオデータとして、２４ビットで量子化された２チャンネル分の圧縮データを２つ記録することができる。図５（ｃ）は、上記のタイプＡＭのパターン３で記録された様子を表しており、オーディオデータ記録領域の内部は、ｃｈ１とｃｈ２に、非圧縮のオーディオデータがそれぞれ１６ビットで記録され、さらに、圧縮形式のオーディオデータとして、２４ビット×２ｃｈの圧縮データが２つ記録されている。
【００５４】
また、図４において、タイプＡＭのパターン４を選択すると、非圧縮のオーディオデータを記録しない代わりに、圧縮形式のオーディオデータとして、２４ビットで量子化された６チャンネル分の圧縮データを１つ記録することができる。
図５（ｄ）は、上記のタイプＡＭのパターン４で記録された様子を表しており、オーディオデータ記録領域の内部は、圧縮形式のオーディオデータとして、２４ビット×６ｃｈの圧縮データが１つ記録されている。
【００５５】
以上のように、様々なタイプとパターンで記録されたオーディオデータは、再生の時のために、オーディオデータ記録領域として、どのタイプを選択し、どのパターンで記録したか、また、どのチャンネルを実際の記録時に使用したか、メタデータをどの領域に記録したか、等の情報を情報記録媒体上に記録しておくと良い。一般に、映像や音声を記録するディスク媒体や半導体メモリ媒体などの情報記録媒体では、その媒体にどのような素材、すなわち、どのような映像や音声などが記録されているかを表す目次情報を記録することが多い。また、情報記録媒体に記録された素材毎に、その内容の目次情報を記録することもある。このような情報記録媒体の目次情報や、記録した素材毎の目次情報に、上記のオーディオデータ記録領域のタイプ、パターン、そして記録で使用したチャンネル、メタデータの記録場所、等の情報を記録しておくことで、再生時に適切なオーディオデータの処理が行われ、正しい音声を出力することが可能になる。また、目次情報に記録する代わりに、個々のオーディオデータ記録領域の近傍や、個々のオーディオデータ記録領域の一部を使って、ヘッダ情報やフッタ情報として、上記の内容を記録するようにしても良い。
【００５６】
図７は、本発明の記録再生装置の構成を表した図であり、図７において、７１０は制御手段、７１１はＣＰＵ、７１２はメモリ手段、７２０はバス手段、７３０はディスクドライブ手段、７４０はデコーダ手段、７６０はエンコーダ手段、７１３、７３１、７４１、７６１は各手段とバス手段を結ぶインタフェース手段、７７０はＡＶ信号処理手段、７４２、７６２は各手段とＡＶ信号処理手段を結ぶインタフェース手段、７５０はＡＶ信号処理手段とバス手段を結ぶインタフェース手段、７８０はＡＶ出力手段、７９０はＡＶ入力手段、７８１、７９１は各手段とＡＶ信号処理手段を結ぶインタフェース手段を表している。
【００５７】
以上のように構成された本発明の記録再生装置について、以下、その動作を説明する。記録時にはＡＶ入力手段７９０から映像や音声が入力され、ＡＶ信号処理手段７７０で適切な処理を行った後、エンコーダ手段７６０で符号化される。
符号化されたオーディオデータやビデオデータは、本発明の記録フォーマットに従って、ディスクドライブ手段７３０で、情報記録媒体に記録される。その際に、ＣＰＵ７１１が目次情報を作成し、この目次情報もディスクドライブ手段７３０で情報記録媒体に記録される。また、メタデータは、映像や音声と共に、ＡＶ入力手段７９０から入力しても良いし、ＣＰＵ７１１またはＡＶ信号処理手段７７０で生成しても良い。これらのメタデータも、ディスクドライブ手段７３０で情報記録媒体に記録される。
【００５８】
再生時には、ディスクドライブ手段７３０が目次情報の再生を行い、これを制御手段７１０のＣＰＵ７１１が処理して、デコーダ手段７４０を再生に適した復号処理が行われるように設定する。そして、ディスクドライブ手段７３０が、ビデオデータ、オーディオデータ、メタデータを再生し、デコーダ手段７４０で復号した後、ＡＶ信号処理手段７７０で適切な処理を行い、ＡＶ出力手段７８０から出力される。
【００５９】
なお、ＡＶ入力手段７９０は、映像または音声またはメタデータを、圧縮または非圧縮のディジタル信号の形式で受信できるディジタルインタフェース機能を備えていても良い。この場合、圧縮データは、ＡＶ信号処理手段７７０を経て、そのままインタフェース手段７５０を介して、ディスクドライブ手段７３０で情報記録媒体に記録しても良い。また、ＡＶ出力手段７８０は、映像または音声またはメタデータを、圧縮または非圧縮のディジタル信号の形式で送信できるディジタルインタフェース機能を備えていても良い。この場合、ディスクドライブ手段７３０で再生されたデータは、そのままインタフェース手段７５０を介して、ＡＶ信号処理手段７７０を経て、ＡＶ出力手段７８０から出力しても良い。また、ディスクドライブ手段７３０は、半導体メモリ媒体の記録や再生を行うメモリ記録再生手段に置き換えても良い。また、デコーダ手段７４０、および、エンコーダ手段７６０は、オーディオデータやビデオデータの様々な符号化方式に対応するために、それぞれ複数個のデコーダ手段やエンコーダ手段を設けても良い。
【００６０】
以上のように、本発明の記録フォーマットでは、オーディオデータ記録領域に関して、複数のタイプを設け、さらには複数の記録パターンを設けることで、様々なオーディオデータの形式や用途に対して、柔軟に対応することが可能になる。
【００６１】
なお、上記の実施例は、情報記録媒体上にビデオデータ記録領域とオーディオデータ記録領域が独立して交互に配置される例で説明したが、ビデオデータとオーディオデータが独立して記録される媒体や装置であれば、交互に配置されていなくても同様の効果が得られる。
【００６２】
（実施の形態３）
次に、本発明の実施の形態３について説明する。図６は、本発明の情報記録媒体の第３の記録フォーマットを表しており、オーディオデータ記録領域２２１は、図２で説明したものと同様に、情報記録媒体上にビデオデータ記録領域とオーディオデータ記録領域が独立して交互に配置され、そのうちの１つのオーディオデータ記録領域を表したものである。図６（ａ）はオーディオデータ記録領域２２１の内部構成を表しており、ｃｈ１、ｃｈ２、ｃｈ３、ｃｈ４に示すように４つのチャンネルに分けられている。その４つのチャンネルのうちの１つをさらに詳細に表したものが、図６（ｂ）、（ｃ）である。図６（ｂ）と図６（ｃ）は、ｃｈ１の内部構成を表しており、６０１、６０２、６０３は、情報記録媒体の記録単位を表している。情報記録媒体の記録単位とは、例えばディスク媒体であれば、セクタやクラスタ、ＥＣＣブロックなどに相当する。また半導体メモリ媒体であれば、メモリセルの単位や、書き込みブロック、または、消去ブロックの単位に相当する。これらの記録単位は、情報記録媒体にデータを記録する際や、再生する際のデータのアクセス単位となるため、一般的に、その情報記録媒体の記録単位の整数倍でデータを読み書きすると、効率良く情報記録媒体にデータを書き込むことができる。従って、映像や音声などのリアルタイム・データを記録する際には、この記録単位の整数倍で、データを記録することが望ましい。
【００６３】
図６（ｂ）では、６１０がｃｈ１の領域に記録されたオーディオデータを表している。オーディオデータ６１０は、記録単位６０１と６０２を合計したサイズよりも、やや大きいサイズを有している。すなわち、オーディオデータ６１０は、記録単位のちょうど整数倍のサイズではないため、図６（ｂ）では、補間データ６１１が追加されている。補間データとは、記録したいデータのサイズを記録単位の整数倍に合わせるための追加データで、一般的には、映像や音声とは無関係なデータであることが多く、再生時には使用されない。オーディオデータ６１０は、補間データ６１１を追加することで、記録単位６０１から６０３までを合計したサイズと同じになり、記録単位の整数倍のデータとして記録される。
【００６４】
本発明の情報記録媒体の記録フォーマットでは、上記の補間データの部分を利用し、この部分にメタデータを記録できるようにした。図６（ｃ）は、オーディオデータ６２０がｃｈ１の領域に記録されているが、図６（ｂ）のオーディオデータ６１０と同様に、オーディオデータ６２０も、この情報記録媒体の記録単位の整数倍のサイズではない。そこで、図６（ｃ）では、補間データを追加する代わりに、メタデータ６２１を追加している。これによって、オーディオデータ６２０とメタデータ６２１の合計サイズが、記録単位の整数倍になるため、情報記録媒体に無駄なデータを記録することを防止できる。なお、メタデータを追加しても、記録単位の整数倍にならない場合は、補間データを追加しても良い。
【００６５】
以上のように、本発明の情報記録媒体の記録フォーマットでは、記録するオーディオデータのサイズが、情報記録媒体の記録単位の整数倍に満たない場合に、従来のような補間データを追加するのではなく、メタデータを追加することで、記録領域を有効に活用することができる。
【００６６】
なお、本明細書で説明したメタデータには、ビデオデータ記録領域やオーディオデータ記録領域に記録された映像や音声よりも低いビットレートの映像や音声をメタデータとして扱っても良い。
【００６７】
なお、上記の実施例は、情報記録媒体上にビデオデータ記録領域とオーディオデータ記録領域が独立して交互に配置される例で説明したが、ビデオデータとオーディオデータが独立して記録される媒体や装置であれば、交互に配置されていなくても同様の効果が得られる。
【００６８】
なお、本明細書ではオーディオデータの記録フォーマットについて説明したが、本発明の実施の形態を、情報記録媒体のビデオデータの記録フォーマットに適用しても良い。この場合、例えば、同時に複数台のカメラからの映像を、ビデオデータ記録領域に多チャンネル記録する等の用途や、様々なメタデータや、様々な形式のビデオデータを様々なチャンネル数で記録する等の用途や、ビデオデータ記録領域における欠陥の交替処理等の用途にも適用可能である。
【００６９】
また、本明細書で説明したオーディオデータ記録領域やビデオデータ記録領域の１つ１つの領域は、光ディスク媒体のＥＣＣブロックの整数倍のサイズ、または、半導体メモリ媒体の消去ブロックの整数倍のサイズに相当するとしても良い。これによって、光ディスクや半導体メモリなどの情報記録媒体に対して、効率の良いデータ転送レートで記録や再生することが可能になる。
【００７０】
【発明の効果】
以上のように本発明によれば、オーディオデータ記録領域の内部を複数のチャンネル領域に分割し、空きチャンネルの領域にメタデータを記録できるようにした。また、オーディオデータ記録領域の内部に欠陥の交替領域を設けることで、交替処理で余分なアクセス動作が発生することを防止し、リアルタイム記録を行いやすくした。また、交替領域をオーディオデータとメタデータで共用することで、少ない交替領域でも有効に活用できるようにした。また、オーディオデータ記録領域に関して複数のタイプを設け、さらには複数の記録パターンを設けることで、様々なオーディオデータの形式や用途に対して、柔軟に対応できるようにした。また、情報記録媒体の記録単位の整数倍に満たないデータには、メタデータを含むデータを追加することで記録単位の整数倍にして記録するようにした。
これによって、情報記録媒体の限られた記録容量を有効に利用できるようにした。
【図面の簡単な説明】
【図１】本発明の情報記録媒体の第１の記録フォーマットを表した図
【図２】従来例の記録フォーマットを模式的に表した図
【図３】本発明の情報記録媒体の第２の記録フォーマットを表した図
【図４】オーディオデータ記録領域のタイプと記録パターンを表したテーブルを示す図
【図５】オーディオデータ記録領域の記録パターンの詳細を表した図
【図６】本発明の情報記録媒体の第３の記録フォーマットを表した図
【図７】本発明の記録再生装置の構成を表した図
【符号の説明】
２０１、２１１、２２１  オーディオデータ記録領域
２２２  ビデオデータ記録領域
Ａ１、Ａ２、Ａｊ  オーディオデータ
Ｖ１、Ｖ２、Ｖｊ  ビデオデータ
ＭＡ、ＭＢ、ＭＣ  メタデータ
ＲＡ、ＲＢ１、ＲＢ２、ＲＢ３、ＲＢ４、ＲＣ  交替領域
ｃｈ１Ａ、ｃｈ２Ａ、ｃｈ３Ａ、ｃｈ４Ａ  各チャンネルのオーディオデータ
ｃｈ１Ｂ、ｃｈ２Ｂ、ｃｈ３Ｂ、ｃｈ４Ｂ  各チャンネルのオーディオデータ
ｃｈ１Ｃ〜ｃｈ８Ｃ  各チャンネルのオーディオデータ
ｃｈ１、ｃｈ２、ｃｈ３、ｃｈ４  各チャンネルのオーディオデータ
ＡＮ  オーディオデータ記録領域タイプＡＮ
ＡＭ  オーディオデータ記録領域タイプＡＭ
ＡＷ  オーディオデータ記録領域タイプＡＷ
ＶＡ、ＶＢ、ＶＣ  ビデオデータ記録領域
６０３  情報記録媒体の記録単位
６１０、６２０  オーディオデータ
６１１  補間データ
６２１  メタデータ
【図１】
2004253063.tif 000003
【図２】
2004253063.tif 000004
【図３】
2004253063.tif 000005
【図４】
2004253063.tif 000006
【図５】
2004253063.tif 000007
【図６】
2004253063.tif 000008
【図７】
2004253063.tif 000009